(57)【要約】【課題】  広告データを動画で構成することが可能でかつ比較的容量が小さなメモリの使用が可能な情報配信システムの提供。【解決手段】  携帯通信端末１００において予め広告表示出力を許可する設定および広告を出力させるタイミング（通常の待ち受け時あるいはメーラー、ＴＶ電話、ブラウザ、音楽再生等の実行時）の設定を行っておく。広告配信サーバ４００は、その設定タイミングで動画の広告情報を携帯通信端末１００へストリーミング配信する。携帯通信端末１００ではこのストリーミング配信された動画の広告情報を受信し、表示部１０８に出力するとともに、出力した回数を広告配信サーバ４００へ通知する。広告配信サーバ４００は携帯通信端末１００から収集した出力回数に基づいて値引き額を計算し、携帯通信端末１００へ通知する。【選択図】      図１
2008085512.tif 000002
【特許請求の範囲】
【請求項１】
通信ネットワークを介して広告主からの広告情報が携帯端末へ配信される情報配信システムであって、
前記携帯端末において広告表示出力を許可するか否かの設定および広告を出力させるタイミングの設定を行う手段と、
前記広告表示出力を許可する設定および広告を出力させるタイミングの設定が行われている場合に、広告配信サーバから前記通信ネットワークを介して前記携帯端末へ前記広告主から受け取った動画を含む広告情報を所定のタイミングにストリーミング配信する手段と、
前記携帯端末において前記ストリーミング配信される動画を含む広告情報を受信する手段とを含むことを特徴とする情報配信システム。
【請求項２】
前記携帯端末において前記動画を含む広告情報を受信した後に受信した広告情報の数を計数する手段と、
前記携帯端末において計数した広告情報の数を前記広告配信サーバへ送信する手段と、
前記広告配信サーバにおいて前記携帯端末から収集した計数情報に基づいて前記携帯端末に対する課金情報を計算し、その課金情報を前記携帯端末へ送信する手段とを含むことを特徴とする請求項１記載の情報配信システム。
【請求項３】
前記広告配信サーバにおいて前記携帯端末での広告情報の視聴回数から算出された広告料に関する課金情報を前記広告主へ送信する手段と、
前記広告主において前記広告料に関する課金情報を受信する手段とを含むことを特徴とする請求項２記載の情報配信システム。
【請求項４】
広告を出力させるタイミングの種別に応じて動画あるいは静止画が前記広告配信サーバから前記通信ネットワークを介して前記携帯端末へ送信されることを特徴とする請求項１から３いずれかに記載の情報配信システム。
【請求項５】
通信ネットワークを介して広告主からの広告情報が配信される携帯端末であって、
広告表示出力を許可するか否かの設定および広告を出力させるタイミングの設定を行う手段と、
前記広告表示出力を許可する設定および広告を出力させるタイミングの設定が行われている場合に、広告配信サーバから前記通信ネットワークを介して所定のタイミングにストリーミング配信される前記広告主からの動画を含む広告情報を受信する手段とを含むことを特徴とする携帯端末。
【請求項６】
前記動画の広告情報を受信した後に受信した広告情報の数を計数する手段と、
計数した広告情報の数を前記広告配信サーバへ送信する手段と、
前記広告配信サーバにおいて前記携帯端末から収集した計数情報に基づいて計算された課金情報を前記広告配信サーバから受信する手段とを含むことを特徴とする請求項５記載の携帯端末。
【請求項７】
広告を出力させるタイミングの種別に応じて動画あるいは静止画が前記広告配信サーバから前記通信ネットワークを介して前記携帯端末へ送信されることを特徴とする請求項５または６記載の携帯端末。
【請求項８】
設定された使用機能における出力情報と配信された広告情報とを切り替えて表示する手段と、前記出力情報の画面の一部に小画面で前記広告情報を重ねて表示する手段と、前記広告情報の画面の一部に小画面で前記出力情報の画面を重ねて表示する手段のうちの少なくとも一つを有することを特徴とする請求項５から７いずれかに記載の携帯端末。
【請求項９】
通信ネットワークを介して広告主からの広告情報が携帯端末へ配信される情報配信方法であって、
前記携帯端末において広告表示出力を許可するか否かの設定および広告を出力させるタイミングの設定を行う第１ステップと、
前記広告表示出力を許可する設定および広告を出力させるタイミングの設定が行われている場合に、広告配信サーバから前記通信ネットワークを介して前記携帯端末へ前記広告主から受け取った動画を含む広告情報を所定のタイミングにストリーミング配信する第２ステップと、
前記携帯端末において前記ストリーミング配信される動画を含む広告情報を受信する第３ステップとを含むことを特徴とする情報配信方法。
【請求項１０】
前記携帯端末において前記動画を含む広告情報を受信した後に受信した広告情報の数を計数する第４ステップと、
前記携帯端末において計数した広告情報の数を前記広告配信サーバへ送信する第５ステップと、
前記広告配信サーバにおいて前記携帯端末から収集した計数情報に基づいて前記携帯端末に対する課金情報を計算し、その課金情報を前記携帯端末へ送信する第６ステップとを含むことを特徴とする請求項９記載の情報配信方法。
【請求項１１】
前記広告配信サーバにおいて前記携帯端末での広告情報の視聴回数から算出された広告料に関する課金情報を前記広告主へ送信する第７ステップと、
前記広告主において前記広告料に関する課金情報を受信する第８ステップとを含むことを特徴とする請求項１０記載の情報配信方法。
【請求項１２】
広告を出力させるタイミングの種別に応じて動画あるいは静止画が前記広告配信サーバから前記通信ネットワークを介して前記携帯端末へ送信されることを特徴とする請求項９から１１いずれかに記載の情報配信方法。
【発明の詳細な説明】
【技術分野】
【０００１】
本発明は、情報配信システムおよび携帯端末ならびに情報配信方法に関し、特に通信ネットワークを介して広告主からの広告情報が携帯端末へ配信される情報配信システムおよび携帯端末ならびに情報配信方法に関する。
【背景技術】
【０００２】
音声通話を開始する前に特定番号をダイヤルし、ダイヤル先から送出される音声広告を聴取することで通話料が割り引かれるサービスが存在する。
【０００３】
一方、ブラウザ機能を備え、ネットワーク上に構築されたサーバから様々な情報と広告データをダウンロードする携帯通信端末が特許文献１に開示されている。
【０００４】
この携帯通信端末では、待ち受けモードが開始されると、記憶手段に記憶されている広告データが取り出され、その広告データが表示手段に表示され、その後待ち受けモードへ移行する。また、表示した広告データの回数等はＷＷＷサーバへ送信される。
【０００５】
一方、ＷＷＷサーバ内の景品提供サーバは携帯通信端末から送信された広告データの閲覧回数や閲覧時間に基づいて景品を決定し、その携帯通信端末へ提供および送信する。
【０００６】
また、この種の他の情報配信システムの例が特許文献２〜４に開示されている。
【０００７】
【特許文献１】特開２００６−０７９２０３号公報（段落０００２、００３７、００４４、００４７、００７４および図１）
【特許文献２】特開２０００−２６８０９０号公報
【特許文献３】特開２００２−２５９８１９号公報
【特許文献４】特開２００５−２２２１２６号公報
【発明の開示】
【発明が解決しようとする課題】
【０００８】
しかし、従来の広告データは一般にテキストあるいは静止画であり、目につきにくく、視聴率を上げることが困難という課題があった。一方、動画はテキストあるいは静止画よりも利用者の目につきやすく視聴率を上げることが容易であるが、テキストあるいは静止画に比べ情報量が多いため、メモリの容量を増大させる必要であり、特に携帯端末のように小型化を求められる機器にとって困難である。
【０００９】
一方、上記特許文献１に「広告データ」との記載があるが、特に動画を含むとの記載はなく、また情報量を減少させるための対策も講じられていない。また、上記他の特許文献２〜４のいずれにも広告データを動画で構成する技術は開示されていない。
【００１０】
そこで本発明の目的は、広告データを動画で構成することが可能でかつ比較的容量が小さなメモリの使用が可能な情報配信システムおよび携帯端末ならびに情報配信方法を提供することにある。
【課題を解決するための手段】
【００１１】
前記課題を解決するために本発明による情報配信システムは、通信ネットワークを介して広告主からの広告情報が携帯端末へ配信される情報配信システムであって、前記携帯端末において広告表示出力を許可するか否かの設定および広告を出力させるタイミングの設定を行う手段と、前記広告表示出力を許可する設定および広告を出力させるタイミングの設定が行われている場合に、広告配信サーバから前記通信ネットワークを介して前記携帯端末へ前記広告主から受け取った動画を含む広告情報を所定のタイミングにストリーミング配信する手段と、前記携帯端末において前記ストリーミング配信される動画を含む広告情報を受信する手段とを含むことを特徴とする。
【００１２】
また、本発明による携帯端末は、通信ネットワークを介して広告主からの広告情報が配信される携帯端末であって、広告表示出力を許可するか否かの設定および広告を出力させるタイミングの設定を行う手段と、前記広告表示出力を許可する設定および広告を出力させるタイミングの設定が行われている場合に、広告配信サーバから前記通信ネットワークを介して所定のタイミングにストリーミング配信される前記広告主からの動画を含む広告情報を受信する手段とを含むことを特徴とする。
【００１３】
また、本発明による情報配信方法は、通信ネットワークを介して広告主からの広告情報が携帯端末へ配信される情報配信方法であって、前記携帯端末において広告表示出力を許可するか否かの設定および広告を出力させるタイミングの設定を行う第１ステップと、前記広告表示出力を許可する設定および広告を出力させるタイミングの設定が行われている場合に、広告配信サーバから前記通信ネットワークを介して前記携帯端末へ前記広告主から受け取った動画を含む広告情報を所定のタイミングにストリーミング配信する第２ステップと、前記携帯端末において前記ストリーミング配信される動画を含む広告情報を受信する第３ステップとを含むことを特徴とする。
【００１４】
ここで本発明の作用を述べる。携帯端末において予め広告表示出力を許可する設定および広告を出力させるタイミング（一例として通常の待ち受け時あるいはメーラー、テレビジョン（以下、ＴＶと記す）電話、ブラウザ、音楽再生等の実行時）の設定を行っておく。広告配信サーバは、その設定タイミングで動画の広告情報を携帯端末へストリーミング配信する。携帯端末ではこのストリーミング配信された動画の広告情報を受信し、表示部に出力するとともに、出力した回数を広告配信サーバへ通知する。広告配信サーバは携帯端末から収集した出力回数に基づいて値引き額（インセンティブ：ｉｎｃｅｎｔｉｖｅ）を計算し、携帯端末へ通知する。また、広告配信サーバは携帯端末での広告の出力回数から算出された広告料に関する情報を広告主装置に通知する。
【発明の効果】
【００１５】
本発明によれば、上記構成を含むため、広告データを動画で構成することが可能でかつ比較的容量が小さなメモリの使用が可能な情報配信システムおよび携帯端末ならびに情報配信方法が得られる。
【発明を実施するための最良の形態】
【００１６】
以下、本発明の最良の形態について添付図面を参照しながら説明する。図１は本発明に係る情報配信システムの一例の構成図である。
【００１７】
同図を参照すると、情報配信システムの一例は携帯端末、一例として携帯通信端末１００と、基地局２００と、通信ネットワーク３００と、広告配信サーバ４００と、１個または複数個の広告主装置５００（一例として３個の広告主装置５００−１〜５００−３）とを含んで構成される。
【００１８】
携帯通信端末１００は基地局２００および通信ネットワーク３００を介して広告配信サーバ４００と通信を行い、広告配信サーバ４００は通信ネットワーク３００を介して広告主装置５００と通信を行う。
【００１９】
また、携帯通信端末１００、広告配信サーバ４００および広告主装置５００は、プログラム制御により動作する。
【００２０】
次に、携帯通信端末１００の一例の構成について説明する。図２は携帯通信端末１００の一例の構成図である。
【００２１】
携帯通信端末１００は基地局２００および通信ネットワーク３００を介して情報の送受信が可能な、例えば、携帯電話機やＰＤＡ（ｐｅｒｓｏｎａｌ  ｄｉｇｉｔａｌ  ａｓｓｉｓｔａｎｔ）等の情報通信機器である。
【００２２】
同図を参照すると、携帯通信端末１００は無線通信部１０１と、制御部１０２と、データ格納部１０３と、スピーカ１０４と、入力部１０５と、音声処理部１０６と、表示制御部１０７と、表示部１０８と、伝送線路１１１〜１１６とを含んで構成される。
【００２３】
無線通信部１０１は伝送線路１１１を介して入力部１０５と接続され、制御部１０２は伝送線路１１２を介して音声処理部１０６と接続され、データ格納部１０３は伝送線路１１３を介して表示制御部１０７と接続される。また、これら伝送線路１１１〜１１３は伝送線路１１５に共通接続される。
【００２４】
スピーカ１０４は伝送線路１１４を介して伝送線路１１５と接続される。表示制御部１０７は伝送線路１１６を介して表示部１０８と接続される。
【００２５】
無線通信部１０１は図示しないアンテナを介して基地局２００との間で無線信号を送受信する。入力部１０５は各種情報操作入力を行うテンキー、スクロール／決定キー等を含む。音声処理部１０６は、図示しない送話部（送話マイク）および受話部（受話スピーカ）への入出力に対する音声信号処理を行う。表示部１０８は文字、画像（動画像および静止画像）等の各種情報表示出力を行う。表示制御部１０７は表示部１０８の表示出力を制御する。
【００２６】
スピーカ１０４は楽音、音声および報知音を出力する。データ格納部１０３は電話帳、送受信メール、発着呼情報、コンテンツ、アプリケーションプログラム、携帯電話端末の各種設定等を格納する。制御部１０２は電話機能（ＴＶ電話機能）、メール機能、ｗｅｂ接続（ブラウザ）機能、図示しないカメラ部による撮像機能および携帯通信端末１００の各部（１０１、１０３〜１０７）を制御する。
【００２７】
また、携帯通信端末１００は広告配信サーバ４００からストリーミング配信される動画の広告情報を受信し表示する機能を備えている。すなわち、制御部１０２は広告配信サーバ４００から動画の広告情報がストリーミング配信されると、その広告情報の一部を順次データ格納部１０３へ格納させ、さらにそのデータ格納部１０３の内容を、表示制御部１０７を介して表示部１０８に表示させる。制御部１０２はこの制御を広告情報の配信が終了するまで繰り返す。
【００２８】
すなわち、制御部１０２は広告配信サーバ４００からストリーミング配信される動画の広告情報をリアルタイムで受信する機能を備えている。
【００２９】
次に、広告配信サーバ４００の構成について説明する。広告配信サーバ４００はワークステーション・サーバ等の情報処理装置である。図３は広告配信サーバ４００の一例の構成図である。
【００３０】
同図を参照すると、広告配信サーバ４００の一例は、広告情報データベース４０１と、利用者情報データベース４０２と、制御部４０３とを含んで構成される。
【００３１】
広告情報データベース４０１には通信ネットワーク３００を介して広告主装置５００から受信した動画を含む広告情報が格納される。利用者情報データベース４０２には広告情報の配信先である携帯通信端末１００のＩＤ（ｉｄｅｎｔｉｆｉｃａｔｉｏｎ）、利用者の属性（年齢、性別、居所等）を含む利用者情報が格納される。また、制御部４０３は所定の期間ごとに広告情報データベース４０１より利用者の属性に基づく広告情報を抽出し、携帯通信端末１００へストリーミング配信する制御を行う。
【００３２】
次に、本発明に係る情報配信システムの一例の動作について説明する。図４は本発明に係る情報配信システムの一例の動作を示すフローチャートである。
【００３３】
まず、初期設定として、携帯通信端末１００において広告表示出力を許可するか否かの設定および広告を出力させるタイミング（一例として通常の待ち受け時あるいはメーラー、ＴＶ電話、ブラウザ、音楽再生等の実行時）の設定を行っておく。
【００３４】
次に、広告主装置５００、一例として広告主装置５００−１から配信を希望する動画を含む広告情報が広告配信サーバ４００へ送信される（図４のステップＳ１０１）。
【００３５】
広告配信サーバ４００の制御部４０３は動画を含む広告情報を受信すると、それを広告情報データベース４０１へ格納する（図４のステップＳ１０２）。
【００３６】
次に、広告配信サーバ４００の制御部４０３は、携帯通信端末１００において広告表示出力を許可する設定がなされている場合に、利用者情報データベース４０２に格納された利用者属性に基づいて広告情報データベース４０１に格納された動画を含む広告情報の中から必要な広告情報を抽出し、所定のタイミングに携帯通信端末１００へストリーミング配信する（図４のステップＳ１０３）。
【００３７】
次に、携帯通信端末１００の制御部１０８は広告配信サーバ４００からストリーミング配信された動画を含む広告情報の一部を順次データ格納部１０３へ格納する（図４のステップＳ１０４）。
【００３８】
次に、携帯通信端末１００の制御部１０８はデータ格納部１０３へ格納された動画を含む広告情報の一部を、表示制御部１０７を介して表示部１０８に表示させる（図４のステップＳ１０５）。制御部１０２はこの制御を広告情報の配信が終了するまで繰り返す。このとき、携帯通信端末１００の制御部１０８は受信した広告情報の数を計数しておく（同ステップＳ１０５）。なお、ストリーミング配信された動画を含む広告情報１本を１つの広告情報と計数する。
【００３９】
次に、携帯通信端末１００の制御部１０８は計数した広告情報の数および広告情報の放映時間あるいは広告情報のデータ量を、定期的にあるいは所定のタイミングで広告配信サーバ４００へ送信する（図４のステップＳ１０６）。
【００４０】
次に、広告配信サーバ４００の制御部４０３は携帯通信端末１００から収集した計数情報等に基づいて、携帯通信端末１００に対する課金情報、すなわち値引き額（インセンティブ）を計算し（図４のステップＳ１０７）、その課金情報を携帯通信端末１００へ送信する（図４のステップＳ１０８）。
【００４１】
次に、携帯通信端末１００の無線通信部１０１は広告配信サーバ４００から送信された課金情報を受信する（図４のステップＳ１０９）。
【００４２】
次に、広告配信サーバ４００の制御部４０３は携帯通信端末１００での広告情報の視聴状況（回数、端末数等）から算出された広告料に関する課金情報を広告主装置５００−１へ送信する（図４のステップＳ１１０）。
【００４３】
次に、広告主装置５００−１は広告配信サーバ４００から送信された課金情報を受信する（図４のステップＳ１１１）。
【００４４】
次に、携帯通信端末１００の一例の動作について説明する。図５は本発明に係る携帯通信端末１００の一例の動作を示すフローチャートである。
【００４５】
まず、携帯通信端末１００の制御部１０８は待ち受け状態または所定機能（メーラー、ＴＶ電話、ブラウザ、音楽再生等）を起動させた状態に設定する（図５のステップＳ３０１）。
【００４６】
次に、携帯通信端末１００の制御部１０８は事前の設定により広告表示出力を許可する設定がなされているか否かを判別する（図５のステップＳ３０２）。
【００４７】
そして、設定がなされていない場合は（図５のステップＳ３０２にて“Ｎｏ”の場合）、携帯通信端末１００の本発明に係る動作は終了する。
【００４８】
一方、設定がなされている場合は（図５のステップＳ３０２にて“Ｙｅｓ”の場合）、携帯通信端末１００の制御部１０８はさらに設定したタイミングで出力させるべき広告情報であるか否かを判定し（図５のステップＳ３０３）、設定したタイミングで出力させるべき広告情報である場合は、出力する広告情報をデータ格納部１０３より抽出する（図５のステップＳ３０４）。
【００４９】
次に、携帯通信端末１００の制御部１０８は、設定した形態により広告情報を、表示制御部１０７を介して表示部１０８に出力させる（図５のステップＳ３０５）。
【００５０】
このとき出力される広告情報は、例えば、待ち受け受信あるいはＴＶ電話通信時の場合は動画による広告情報であり、メールあるいは音楽再生時は静止画による広告情報であり、予め機能ごとに設定された広告情報が抽出されて出力される。
【００５１】
なお、図５のステップＳ３０４およびＳ３０５を合わせたものがは図４のステップＳ１０５に相当する。
【００５２】
また、携帯通信端末１００の表示部１０８への表示方法も、設定された使用機能における出力情報と配信された広告情報とを切り替えて表示する方法や、設定された使用機能における出力情報の画面の一部に小画面で広告情報を重ねて表示する方法あるいは広告情報の画面の一部に小画面で設定された使用機能における出力情報の画面を重ねて表示する方法等の適用が可能である。
【００５３】
本発明によれば、動画を含む広告情報を携帯通信端末１００へストリーミング配信する構成を有するため、広告情報を全てメモリに格納した後、表示部に表示させる構成に比べ、メモリ容量を小さくすることができ、コストダウンが可能となる。
【００５４】
また、動画は利用者の目につきやすく、テキストや静止画の広告よりも視聴率を上げることが可能となる。
【００５５】
さらに、携帯通信端末に配信された広告情報を利用者が積極的に、あるいは意識せずに視聴することができ、その結果としての値引き（インセンティブ）も付与されるので、利用者にとっては大きなメリットとなる。
【００５６】
また、広告主も、利用者属性に応じた広告情報配信がなされ、かつ利用者による実際の視聴により料金算定がなされるので、満足できる費用および効果を得ることができる。
【００５７】
また、広告情報を端末利用前（通話前）に視聴するのではなく、暇なときあるいは自動的に視聴するので、電車の中吊り広告を眺めるように、暇なときに動画広告を眺めることができ、利用者にとって暇つぶしになるという利点もある。
【図面の簡単な説明】
【００５８】
【図１】本発明に係る情報配信システムの一例の構成図である。
【図２】携帯通信端末１００の一例の構成図である。
【図３】広告配信サーバ４００の一例の構成図である。
【図４】本発明に係る情報配信システムの一例の動作を示すフローチャートである。
【図５】本発明に係る携帯通信端末１００の一例の動作を示すフローチャートである。
【符号の説明】
【００５９】
１００  携帯通信端末
１０１  無線通信部
１０２  制御部
１０３  データ格納部
１０４  スピーカ
１０５  入力部
１０６  音声処理部
１０７  表示制御部
１０８  表示部
１１１〜１１６  伝送線路
２００  基地局
３００  通信ネットワーク
４００  広告配信サーバ
４０１  広告情報データベース
４０２  利用者情報データベース
４０３  制御部
５００  広告主装置
【図１】
2008085512.tif 000003
【図２】
2008085512.tif 000004
【図３】
2008085512.tif 000005
【図４】
2008085512.tif 000006
【図５】
2008085512.tif 000007